(57)【特許請求の範囲】
【請求項１】
角柱と、横材と、角度調整材とを備え、角度調整材は角柱と横材との間に設けて角柱に対する横材の取付角度を調整するものであり、柱側取付材と、横材側取付材とを有し、柱側取付材は内部に中空を有すると共に上下反転させて角柱に取付自在であり、横材側側面が凸状円弧面であり且つ円弧の中央位置からずれた位置にねじ挿通孔が形成してあり、このねじ挿通孔から挿通したねじで柱側側面を角柱に固定してあり、横材側取付材は、柱側側面が凹状円弧面を成して柱側取付材の横材側側面に当接してあり、横材側取付材が柱側取付材のねじ挿通孔を覆う位置で柱側取付材に固定してあることを特徴とする建築構造体。
【発明の詳細な説明】
【技術分野】
【０００１】
本発明は、フェンスや間仕切り等の建築構造体に関する。
【背景技術】
【０００２】
非特許文献１には、角柱の側面に横材を固定して、横材を連設する建築構造体（スクリーン）が開示されている。
この非特許文献１の建築構造体では、角柱は四角柱であるから、連接する横材の取付角度は９０°と、１８０°と、２７０°に限られていた。このように、非特許文献１の技術では、角柱の形状により角柱に対する横材の取付角度が制限されていた。
【先行技術文献】
【非特許文献】
【０００３】
【非特許文献１】第５０５頁「エクステリア総合カタログ  ２０１１−２０１２」  カタログＮｏ．ＳＴＸ０５８０Ａ  三協立山アルミ株式会社  ２０１１年２月発行
【発明の概要】
【発明が解決しようとする課題】
【０００４】
しかし、角柱を用いる場合でも、角柱の形状に制限されることなく任意の取付角度で角柱に横材を取付できることが望まれている。
【０００５】
そこで、本発明は、角柱に対して横材の取付角度が任意の角度で取付できる建築構造体の提供を目的とする。
【課題を解決するための手段】
【０００６】
請求項１に記載の発明は、角柱と、横材と、角度調整材とを備え、角度調整材は角柱と横材との間に設けて角柱に対する横材の取付角度を調整するものであり、柱側取付材と、横材側取付材とを有し、柱側取付材は内部に中空を有すると共に上下反転させて角柱に取付自在であり、横材側側面が凸状円弧面であり且つ円弧の中央位置からずれた位置にねじ挿通孔が形成してあり、このねじ挿通孔から挿通したねじで柱側側面を角柱に固定してあり、横材側取付材は、柱側側面が凹状円弧面を成して柱側取付材の横材側側面に当接してあり、横材側取付材が柱側取付材のねじ挿通孔を覆う位置で柱側取付材に固定してあることを特徴とする建築構造体である。
建築構造体には、スクリーン、フェンス、間仕切り、テラス等を含む。
【発明の効果】
【０００７】
請求項１に記載の本発明によれば、角度調整材の柱側取付材と横材側取付材とが互いに円弧面で当接するので、角柱であっても角柱に対して任意の角度で横材を取付けできる。
柱側取付材の上下を反転させて取付自在であり且つ円弧の中央位置からずれた位置にねじ挿通孔が形成してあるから、ねじ挿通孔を露出させないで、横材を任意の取付角度で角柱に固定できる。
角度調整材は、角柱の各側面に取付けできるから、角柱の周囲に亘って広範囲の角度で横材を取り付けできる。
【図面の簡単な説明】
【０００８】
【図１】本発明の実施の形態にかかる建築構造体の図であり、角柱内の芯材を除いて示す横断面図である。
【図２】本発明の実施の形態にかかる建築構造体の図であり、（ａ）は平面図であり、（ｂ）は（ａ）に示すＡ−Ａ断面図である。
【図３】本発明の実施の形態にかかる建築構造体であって角柱内の芯材を除いて示す横断面図であり、（ａ）〜（ｆ）は種々の取付角度の例を示す図である。
【図４】本実施の形態の変形例にかかる建築構造体の図であり、（ａ）は平面図であり、（ｂ）は（ａ）に示すＢ−Ｂ断面図である。
【発明を実施するための形態】
【０００９】
以下に、図１〜図３を参照して、本発明の実施の形態を詳細に説明する。本実施の形態に係る建築構造体１は、フェンスであり、図２に示すように、角柱３と、一方の横材５と、他方の横材７と、角度調整材９とを備えている。
角柱３は、平面視四角形の角柱であり、四周に第１側面３ａ、第２側面３ｂ、第３側面３ｃ、第４側面３ｄが設けてあり、第１側面３ａに一方の横材（横材）５が取り付けてあり、第２側面３ｂに他方の横材７が取り付けてある。
一方の横材５及び他方の横材７は同じ構成であり、各横材５、７の下にはパネル１１が取り付けてある。
【００１０】
図１及び図２に示すように、一方の横材５は、角柱３の第１側面３ａに直接固定してある。他方の横材７は角度調整材９を介して角柱３の第２側面３ｂに固定してある。
角度調整材９は角柱３と他方の横材７との間に設けて角柱３に対する他方の横材７の取付角度を調整するものであり、柱側取付材１５と、横材側取付材１７とを備えている。
図１に示すように、柱側取付材１５は、内部に中空１６を有すると共に上下反転させて角柱３に取付自在である。柱側取付材１５の柱側側面１５ａは平面であり、横材側側面１５ｂが凸状円弧面であり、本実施の形態では、横材側側面１５ｂは略半円形状を成している。柱側側面１５ｂは、ねじ１９で角柱３の第２側面１３ｂに固定している。図２（ｂ）に示すように、ねじ１９は上下方向に間隔をあけて複数設けてある。
図１に示すように、横材側側面１５ｂには、その円弧の中央位置Ｔから一方の横材５側にずれた位置に、柱側側面１５ｂを止めるねじ１９のねじ挿通孔２１が形成してある。このねじ挿通孔２１はねじ１９の頭よりも大きな丸穴であり、各ねじ１９に対応して、上下に複数個形成してある。尚、本実施の形態では、ねじ挿通孔２１は円弧の中央位置Ｔから一方の横材５側に約５°ずれている。
【００１１】
横材側取付材１７は、柱側側面１７ａと横材側側面１７ｂとを備えている。横材取付材１７の柱側側面１７ａは凹状円弧面を成しており、柱側取付材１５の横材側側面１５ｂに当接してある。即ち、柱側取付材１５の横材側側面１５ｂと横材取付材１７の横材側側面１５ｂとは互いに同じ曲率の円弧面であり、円弧状の凹面と凸面が嵌合するようにしてある。柱側側面１７ａは、略１／４円弧であり、一方の横材５に対する取り付け角度Ｒ１が最も小さい位置にあるときに、ねじ挿通孔２１を塞ぐ位置で且つ円弧の中心位置側端２３が柱側取付材１５の横材側側面１５ｂの円弧の中心位置Ｔを越えない位置にある。本実施の形態では、取り付け角度Ｒ１の最小角度は約４５°である。
横材側取付材１７が柱側取付材１５のねじ挿通孔２１を覆う位置で、柱側側面１７ａと柱側取付材１５の横材側面１５ａとをねじ２５で固定している。尚、横材側取付材１７の柱側側面１７ａには、他方の横材７側からねじ２５を挿通するねじ挿通孔４０が形成されている。
横材側取付材１７と他方の横材７との間には、横材側取付材１７の横材側側面１７ｂにねじ２９で補助材２７が固定してあり、補助材２７にＬ字金具３１の一側部を固定した固定材３３が補助材２７と横材側取付材１７にねじ３５で固定しある。他方の横材７はＬ字金具３１の他側部に固定してあり、目板３７を補助材２７と固定部材３３との間に嵌合してねじ３５を隠してある。尚、固定部材３３にはパネル１１の端部を保持する保持部材３９が嵌合してある。
【００１２】
次に、本実施の形態にかかる建築構造体１の施工及び作用効果について説明する。
建築構造体１の施工は、一方の横材５に対する他方の横材７の設定角度Ｒ１が小さい場合、例えばＲ１が４５°〜９０°の場合には、図１に示すように、ねじ挿通孔２１が円弧の中心位置Ｔよりも一方の横材５側にずれる位置になるように、角柱３の第２側面３ｂに柱側取付材１５の柱側側面１５ａをあてて、柱側取付材１５を配置し、ねじ挿通孔２１から挿通したねじ１９で角柱３に柱側取付材１５を固定する。
次に、横材側取付材１７の柱側側面１７ａの凹状円弧を柱側取付材１５の横材側側面１５ｂの凸状円弧にあてて、任意の角度に設定する。角度の設定は横材側取付材１７の柱側側面１７ａを柱側取付材１５の横材側側面１５ｂに摺接させて移動させておこなうことができる。
横材側取付材１７の角度を設定後、横材側取付材１７の柱側側面１７ａを柱側取付材１５の横材側側面１５ｂに、他方の横材７側からねじ挿通孔４０を挿通したねじ２５で固定する。
次に、横材側取付材１７の横材側面１７ｂに補助材２７をねじ２９で固定し、固定部材３３を補助材２７と横材側取付材１７にねじ３５で固定し、固定部材３３にＬ字金具３１を取付けてＬ字金具３１に他方の横材７を固定し、目板３７を補助材２７と固定部材３３に嵌合してねじ３５を隠す。
【００１３】
図３を参照して、他方の横材７を一方の横材５に対してその他の角度で取付ける場合について、説明する。
図１に示すように、他方の横材７に対する一方の横材５の取付け角度Ｒ１は、４５°〜９０°であるが、横材側取付材１７の柱側側面１７ａがねじ挿通孔２１を覆う位置からずれる場合、たとえば、図３（ｂ）に示すように角度Ｒ２が９０°よりも大きい１２０°の場合には、柱側取付材１５の上下をひっくり返して、ねじ挿通孔２１の位置を柱側取付材１５の横材側側面１５ｂの円弧の中心位置Ｔについて図３（ａ）の状態に対して反対側に配置して固定する。柱側取付材をその位置で固定した後、横材側取付材１７の角度を設定して固定する。図３（ｂ）の取り付け角度Ｒ２は、９０°〜１３５°である。
このように、角柱３の第２側面３ｂでは、図３（ａ）（ｂ）に示すように、一方側横材５に対して他方側横材７をＲ１からＲ２までの範囲の任意の角度で取付ける。
更に、一方の横材５に対する他方の横材７の取り付け角度を大きくする場合に、図３（ｃ）に示すように、角柱３の第３側面３ｃに柱側取付材１５を取付けて角度Ｒ３の設定をおこなう。角度Ｒ３は、例えば１３５°〜１８０°であり、１８０°を越えて取付ける為に、横材側取付材１７の柱側側面１７ａがねじ挿通孔２１を覆う位置からずれる場合には、図３（ｂ）の場合と同様に、柱側取付材１５を上下をひっくり返して取り付けることにより、図３（ｄ）に示すように、Ｒ４の角度まで取り付けできる。Ｒ４の角度は例えば、１８０°〜２２５°である。
同様にして、図３（ｅ）（ｆ）に示すように、角柱３の第４側面３ｄに柱側取付材１５を取り付けことにより、更に、取付け角度Ｒを大きくする場合には、例えばＲ５の角度が２２５°を越えて取付ける場合には、図３の（ａ）（ｂ）や（ｃ）（ｄ）の場合と同様にして、取付け角度が大きくなる場合に必要に応じて柱側取付材１５の上下をひっくり返して、ねじ挿通孔２１の位置を横材側側面１５ｂの円弧の中心位置Ｔに対して反対側にずれるようにして固定し、横材側取付材１７でねじ挿通孔２１を隠すようにする。このようにして、最大取付角度Ｒ６が約３１５°の範囲まで一方の横材５に対して他方の横材７の取付けができる。
【００１４】
本実施の形態によれば、角度調整材９の柱側取付材１５と横材側取付材１７とが互いに円弧面で当接するので、角柱３であっても角柱３に対して任意の角度で他方の横材７を取付けできる。
角度調整材９は、角柱３の各側面３ａ〜３ｄに取付けできるから、角柱３の周囲に亘って広範囲の角度で横材を取り付けできる。即ち、図３に示すように、本実施の形態では、角度調整材９による取り付け角度は、Ｒ１の最小角度４５°〜Ｒ６の最大取り付け角度３１５までの従来にない広範囲の角度で取付けが可能である。
柱側取付材１５の上下を反転させて取付自在であり且つ円弧の中央位置Ｔからずれた位置にねじ挿通孔２１が形成してあるから、ねじ挿通孔２１を露出させないで、他方の横材７を任意の取付角度で角柱３に固定できる。
【００１５】
本実施の形態では、柱側取付材１５の横材側側面１５ｄの円弧は略半円としてあり且つ角柱３の一側面３ａ〜３ｄを覆って取付けてあるから、横材側側面１５ｄの円弧を半円よりも小さい円弧の場合に比較して、他方の横材７の取り付け角度を大きくできる。
【００１６】
本発明は、上述した実施の形態に限らず、本発明の要旨を逸脱しない範囲で種々変形可能である。
例えば、図４に示すように、一方の横材５及び他方の横材７には、パネル１１を設けなくても良い。
柱側取付材１５の横材側側面１５ｂの円弧は例えば３／４円として半円よりも大きいものであっても良いし、１／３円として半円よりも小さいものであっても良い。
横材側取付材１７の柱側側面１７ａの円弧は１／５円や１／６円にして、１／４円の円弧よりも小さくしても良い。
ねじ挿通孔２１は円弧の中央位置Ｔからずれる量は、３０°でも良いし、４５°でも良く、制限されない。
角柱３は、四角柱に限らず、三角柱や六角柱であっても良い。
本発明の建築構造体１は、フェンスに限らず、スクリーン、間仕切りや、手摺、テラス、シェルター、サイクルポートやカーポートであっても良い。
【符号の説明】
【００１７】
１    建築構造体
３    角柱
７    他方の横材（横材）
９    角度調整材
１５  柱側取付材
１５ｂ  横材側側面
１７  横材側取付材
１７ａ  柱側側面
１９  ねじ
２１  ねじ挿通孔
【図１】
0005762990.tif 000002
【図２】
0005762990.tif 000003
【図３】
0005762990.tif 000004
【図４】
0005762990.tif 000005